(57)【要約】【課題】バーナに着脱自在としたゴトクによる調理器具の支持安定性を確保するとともに、容易にそのゴトクを取り扱い得るようにすること。【解決手段】第一開閉片２と、この第一開閉片２に対して板ばねを構成するように弾性的に開閉自在に連設された第二開閉片３とで構成する。両開閉片２、３は外力が作用していない状態において、両者の間には隙間が形成されている。バーナＢの水平方向横側から、着脱式ゴトク１の両開閉片２、３に形成した受け部５を前記隙間に当接させるようにしてバーナＢを嵌め込むと、両開閉片２、３の付勢力によって、バーナＢに着脱式ゴトク１がしっかりと固定された状態となる。この着脱式ゴトク１は両開閉片２、３間のがたつきが比較的生じにくく、調理器具を安心かつ安全に支持することができる。【選択図】図１
2014040992.tif 000002
【特許請求の範囲】
【請求項１】
第一開閉片（２）と、この第一開閉片（２）に対して開閉自在に連設された第二開閉片（３）とを有し、前記第一開閉片（２）及び第二開閉片（３）に、調理器具を載置する載置部（４）と、バーナ（Ｂ）を受け入れる受け部（５）とを形成し、使用時に、前記両開閉片（２、３）を互いに開いて前記両受け部（５、５）にバーナ（Ｂ）が受け入れられた状態で固定するようにした着脱式ゴトク。
【請求項２】
前記第一開閉片（２）及び第二開閉片（３）が、板ばねを構成するように弾性的に連設され、前記使用時に、前記両開閉片（２、３）をその付勢力に抗して開いた上で前記両受け部（５、５）にバーナ（Ｂ）が受け入れられた状態とする請求項１に記載の着脱式ゴトク。
【請求項３】
前記バーナ（Ｂ）への固定が前記付勢力によってなされる請求項２に記載の着脱式ゴトク。
【請求項４】
前記第一開閉片（２）及び第二開閉片（３）は、この両開閉片（２、３）に外力が作用していない状態において所定角度だけ相互に開いており、かつ、その所定角度は、前記両受け部（５、５）にバーナ（Ｂ）が受け入れられた状態で固定した際の前記両開閉片（２、３）の開き角度と同じ、あるいは、これよりも小さい角度である請求項２又は３に記載の着脱式ゴトク。
【請求項５】
前記バーナ（Ｂ）の不使用時に、このバーナ（Ｂ）から取り外した上で、前記両開閉片（２、３）を互いに接近するように閉じて収納し得るようにした請求項１から４のいずれか一つに記載の着脱式ゴトク。
【請求項６】
前記両開閉片（２、３）の少なくとも一方に、この両開閉片（２、３）が閉じた状態を保つ係止片（７）を形成し、前記不使用時に前記両開閉片（２、３）を閉じた際に、前記係止片（７）によって前記両開閉片（２、３）が係止される請求項５に記載の着脱式ゴトク。
【請求項７】
前記両開閉片（２、３）の載置部（４）が、この両開閉片（２、３）に設けられた回動軸（１１）周りに回動して、この両開閉片（２、３）の中央向きに収納し得るようにした請求項１から６のいずれか一つに記載の着脱式ゴトク。
【請求項８】
前記両開閉片（２、３）の長さ方向中央部に、前記両開閉片（２、３）を相対回動させる垂直回動軸（９）を設けるとともに、前記両開閉片（２、３）に介在する付勢部材（１０）を設け、不使用時には前記付勢部材（１０）の付勢力によって前記両開閉片（２、３）を互いに直交しないように閉じた状態とする一方で、使用時には前記付勢力に抗して前記両開閉片（２、３）を十字形に開いた状態で前記両受け部（５、５）にバーナ（Ｂ）を受け入れるようにした請求項１に記載の着脱式ゴトク。
【請求項９】
前記両開閉片（２、３）の載置部（４）が、この両開閉片（２、３）に設けられた回動軸（１１）周りに回動して、この両開閉片（２、３）の中央向きに収納し得るようにした請求項８に記載の着脱式ゴトク。
【請求項１０】
前記付勢部材（１０）の付勢力によって前記両開閉片（２、３）を閉じた状態とするとともに、その閉じた両開閉片（２、３）によって構成される隙間の中に、バーナ（Ｂ）を横向きにして収納するようにした請求項８又は９に記載の着脱式ゴトクの収納方法。
【発明の詳細な説明】
【技術分野】
【０００１】
この発明は、特にアウトドアで用いるバーナに適した着脱式ゴトク及びその収納方法に関する。
【背景技術】
【０００２】
ゴトクはバーナの構成部品の一つであって、鍋等の調理器具を安定的に支持しつつ、炎孔から所定距離だけ調理器具を離間して、この調理器具を効率的に加熱するためのものである。この支持を安定的に行うために、調理器具の底面の広い領域を支持し得る大きめのゴトクを用いるのが理想である。その反面、キャンプ等のアウトドアでの使用を主目的とするバーナは、ゴトクをできるだけコンパクトに収納し得る、高い携帯性を備えたものが要求される。このゴトクによる調理器具の支持安定性の確保と、携帯性の向上は相反する課題である。
【０００３】
この相反する課題を解決するものとして、例えば特許文献１には、２枚の板状部材を十字に組み立ててゴトク（五徳）を構成しバーナの本体に取り付ける一方で、不使用の際はバーナの本体から取り外して、各板状部材に分解した状態で携帯し得るようにした着脱式のゴトクが開示されている。このように組み立て・分解自在の構成とすることによって、使用時には調理器具の底面の広い領域を支持する安定的なゴトクとして使用する一方で、不使用時にはこのゴトクの各板状部材をコンパクトに収納して良好な携帯性を確保することができる。
【先行技術文献】
【特許文献】
【０００４】
【特許文献１】特開平９−２２９３８１号公報
【発明の概要】
【発明が解決しようとする課題】
【０００５】
特許文献１に記載のゴトクは、分離した複数のパーツを、各パーツに形成したスリットに相互に嵌め込むことによって十字に組み合わせただけであり、各パーツがしっかりと固定されておらず、その組み合わせたパーツが組み合わせ部分を軸中心として相対的に回動しやすい。このため、調理器具の載置に際してゴトクにかかる荷重が不均等になった場合や、傾斜地にバーナを設置した場合等に、組み合わせた各パーツ間で回動が生じて、ゴトクによる調理器具の支持状態が不安定になりやすい。
【０００６】
しかも、複数のパーツを組み合わせた状態を保ちつつバーナに取り付けなければならず、作業に手間を要するとともに、特にアウトドアでの使用に際しては、パーツの数が多いほど他の荷物に紛れ込んで行方不明になりやすく、その管理に注意を要するという問題がある。
【０００７】
そこで、この発明は、バーナに着脱自在としたゴトクによる調理器具の支持安定性を確保するとともに、容易にそのゴトクを取り扱い得るようにすることを課題とする。
【課題を解決するための手段】
【０００８】
上記課題を解決するため、この発明では、第一開閉片と、この第一開閉片に対して開閉自在に連設された第二開閉片とを有し、前記第一開閉片及び第二開閉片に、調理器具を載置する載置部と、バーナを受け入れる受け部とを形成し、使用時に、前記両開閉片を互いに開いて前記両受け部にバーナが受け入れられた状態で固定するようにして着脱式ゴトクを構成した。
【０００９】
この着脱式ゴトクは、第一開閉片と第二開閉片を連設した単一のパーツからなり、分離した複数のパーツを使用時に組み合わせるタイプのものではないので、両開閉片の間のがたつきが生じにくい。このため、この着脱式ゴトクに載置した調理器具の支持安定性が高く、安全に調理作業を行うことができる。しかも、両開閉片を開くだけでよいので、分離した複数のパーツを組み合わせる場合と比較して、バーナへのゴトクの着脱作業が非常に簡便となるとともに、パーツの管理が容易になるというメリットもある。
【００１０】
前記バーナへのゴトクの固定は、バーナの本体を直接受け部で挟み込む方式、バーナに取り付けた風防等の付属部材、あるいは、ゴトクを取り付けるための専用部材を受け部で挟み込む方式等の種々の構成を採用し得る。また、上記において「両受け部にバーナが受け入れられた状態」とは、この受け部の内側にバーナ本体の全体が収まっている状態のみならず、バーナ本体の一部あるいは全部が、受け部の上端よりも上側、あるいは、下端よりも下側に位置している状態も含む。さらに、これらの構成においては、両開閉片に凹部を形成して、この凹部でバーナの吸気管を挟み込むようにすることもできる。このようにすれば、バーナへのゴトクの固定状態を一層確実なものとし得る。
【００１１】
前記構成においては、前記第一開閉片及び第二開閉片が、板ばねを構成するように弾性的に連設され、前記使用時に、前記両開閉片をその付勢力に抗して開いた上で前記両受け部にバーナが受け入れられた状態とするのがより好ましい。
【００１２】
このように、両開閉片にばね弾性を付与することにより、変形に対するゴトクの強度特性が向上する。このため両開閉片を薄肉化しても所定の強度（調理器具を安定的に支持し得る程度の強度）を維持することができ、この着脱式ゴトクの更なる軽量化を図ることができる。さらに、両開閉片にバーナの抜け止めのための抜け止め片等を設けることによって、バーナからゴトクが脱落するのを確実に防止することができる。
【００１３】
両開閉片を弾性的に連設した構成においては、前記バーナへの固定が前記付勢力によってなされるようにするのがより好ましい。
【００１４】
このように、両開閉片の付勢力で着脱式ゴトクを固定するようにすれば、固定用の部材が不必要となる。このため、その構成をシンプルなものとし得るとともに、その着脱作業を速やかに行うことができる。
【００１５】
また、前記第一開閉片及び第二開閉片が弾性的に連設された構成においては、前記第一開閉片及び第二開閉片は、この両開閉片に外力が作用していない状態において所定角度だけ相互に開いており、かつ、その所定角度は、前記両受け部にバーナが受け入れられた状態で固定した際の前記両開閉片の開き角度と同じ、あるいは、これよりも小さい角度とするのがより好ましい。
【００１６】
着脱式ゴトクのバーナへの固定作業においては、両開閉片の間の隙間にバーナを取り付けるため、その隙間が閉じていると、一方の手でバーナを保持しつつ他方の手で隙間を広げる必要があり作業をしにくい。そこで、両開閉片に外力が作用していない状態において、この両開閉片を所定角度だけ相互に開いた状態として隙間をあらかじめ確保しておけば、バーナの取り付けをスムーズに行うことができ、作業効率が大幅に高まる。ここで、前記所定角度が前記両受け部にバーナを受け入れて固定した際の前記両開閉片の開き角度よりも大きいと（前記隙間が広すぎると）、着脱式ゴトクをバーナに固定することができない。このため、前記所定角度は、前記両受け部にバーナを受け入れて固定した際の前記両開閉片の開き角度と同じ、あるいは、これよりも小さい角度としなければならない。
【００１７】
前記各構成においては、前記バーナの不使用時に、このバーナから取り外した上で、前記両開閉片を互いに接近するように閉じて収納し得るようにするのがより好ましい。
【００１８】
このように両開閉片を閉じて収納し得るようにすれば、コンパクト化することができ、携帯性が向上するためである。
【００１９】
前記両開閉片を閉じて収納し得るようにした構成においては、前記両開閉片の少なくとも一方に、この両開閉片が閉じた状態を保つ係止片を形成し、前記不使用時に前記両開閉片を閉じた際に、前記係止片によって前記両開閉片が係止されるようにするのがより好ましい。
【００２０】
このように、両開閉片を閉じた状態で係止片によって係止しておけば、着脱式ゴトクの携帯中に、両開閉片が不用意に開く恐れは低く、携帯性が一層良好となる。
【００２１】
前記各構成においては、前記両開閉片の載置部が、この両開閉片に設けられた回動軸周りに回動して、この両開閉片の中央向きに収納し得るようにするのがより好ましい。
【００２２】
このように載置部を収納し得るようにすることで、収納時における着脱式ゴトクのサイズを一層コンパクト化することができ、アウトドア等の際の持ち運び性が一段と向上する。この回動方向は特に限定されないが、使用状態から水平回動軸周りに上向きに回動して収納する構成とするのがより好ましい。このようにすれば、載置部に載置した調理器具の荷重によって、この載置部が下向きに押さえ付けられ、この着脱式ゴトクの使用中に、この載置部が不用意に収納状態となるのを防止することができる。このため、この着脱式ゴトクの高い安全性が確保される。
【００２３】
また、上記のように前記両開閉片が板ばねを構成するように弾性的に連設する代わりに、前記両開閉片の長さ方向中央部に、前記両開閉片を相対回動させる垂直回動軸を設けるとともに、前記両開閉片に介在する付勢部材を設け、不使用時には前記付勢部材の付勢力によって前記両開閉片を互いに直交しないように閉じた状態とする一方で、使用時には前記付勢力に抗して前記両開閉片を十字形に開いた状態で前記両受け部にバーナを受け入れる構成とすることもできる。
【００２４】
前記第一開閉片及び第二開閉片を、板ばねを構成するように弾性的に連設する場合、その連設箇所は各開閉片の端部とするのが通常であり、この場合、調理器具の支持態様を３点支持とせざるを得ないことが多い。これに対し、上記のように垂直回動軸を設けた場合、その垂直回動軸によって前記両開閉片を十字形に開くことが可能となり、調理器具の支持態様を４点支持とすることもできる。このように４点支持とすることにより、特に大重量の調理器具の荷重を載置した場合に、その荷重が４つの載置部に分散され、その荷重によって載置部が変形するのを防止できる。また、３点で支持する場合の支持間隔（例えば１２０度の均等間隔）と比較して、４点で支持する場合の支持間隔（例えば９０度の均等間隔）の方が小さいため、ゴトク上で調理器具が特定方向に傾きにくく、この調理器具をより安定的に支持することができる。
【００２５】
しかも、前記両開閉片を前記付勢部材の付勢力で閉じて着脱式ゴトクを固定するようにすれば、固定用の部材が不必要となる。このため、その構成をシンプルなものとし得るとともに、その着脱作業を速やかに行うことができる。
【００２６】
前記付勢部材を設けた構成においては、前記両開閉片の載置部が、この両開閉片に設けられた回動軸周りに回動して、この両開閉片の中央向きに収納し得るようにするのがより好ましい。
【００２７】
この場合も、上述したのと同様に、着脱式ゴトクの収納サイズのコンパクト化、及び持ち運び性の向上を図ることができる。
【００２８】
また、両開閉片を垂直回動軸周りに相対回動させる構成においては、前記付勢部材の付勢力によって前記両開閉片を閉じた状態とするとともに、その閉じた両開閉片によって構成される隙間の中に、バーナを横向きにして収納するのが好ましい。
【００２９】
このようにバーナを着脱式ゴトクと一体に収納することで、バーナの使用の際に速やかに着脱式ゴトクを取り付けることができ、アウトドア等で使用する際の利便性が高い。さらに、その閉じた状態の両開閉片の先端の載置部を、この両開閉片に設けられた回動軸周りに回動して、この両開閉片の中央向きに収納することにより、この載置部が前記隙間の開口を塞ぐように構成することができる。このように構成することにより、バーナが前記隙間から脱落するのを防止することができる。
【発明の効果】
【００３０】
この発明においては、開閉自在に第一開閉片と第二開閉片とを連設して着脱式ゴトクを構成し、両開閉片を開いてバーナに固定するようにした。このように両開閉片が予め連設されているため、両開閉片の間のがたつきが生じにくい。このため、この着脱式ゴトクに載置した調理器具の支持安定性が高く、安全に調理作業を行うことができる。しかも、閉じた状態の両開閉片を開くだけでバーナに取り付けることができるので、分離した複数のパーツを組み合わせる場合と比較して、バーナへのゴトクの着脱作業が非常に簡便となる。
【図面の簡単な説明】
【００３１】
【図１】本願発明に係る着脱式ゴトクの第一実施形態を示す斜視図であって、（ａ）は両開閉片を開いた状態、（ｂ）は両開閉片を閉じた状態
【図２】図１に示す着脱式ゴトクの開閉状態を示す平面図
【図３】図１に示す着脱式ゴトクをバーナに嵌め込んだ状態を示し、（ａ）は上方からの斜視図、（ｂ）は下方からの斜視図
【図４】図１に示す着脱式ゴトクをバーナに嵌め込む途中の状態を示し、（ａ）は平面図、（ｂ）は側面図
【図５】本願発明に係る着脱式ゴトクの第二実施形態を示す斜視図であって、（ａ）は両開閉片を開いた状態、（ｂ）は両開閉片を閉じた状態
【図６】図５に示す着脱式ゴトクの開閉状態を示す平面図
【図７】本願発明の第三実施形態に係る着脱式ゴトクをバーナに嵌め込んだ状態を示し、（ａ）は上方からの斜視図、（ｂ）は下方からの斜視図
【図８】本願発明の第一実施形態に係る着脱式ゴトクを他の形状のバーナに取り付けた状態を示し、（ａ）は上方からの斜視図、（ｂ）は下方からの斜視図
【図９】本願発明に係る着脱式ゴトクの第四実施形態において両開閉片を開いた状態を示し、（ａ）は上方からの斜視図、（ｂ）は下方からの斜視図、（ｃ）は平面図
【図１０】図９に示す着脱式ゴトクをバーナに嵌め込んだ状態を示し、（ａ）は上方からの斜視図、（ｂ）は下方からの斜視図
【図１１】図９に示す着脱式ゴトクの両開閉片を閉じた状態を示す上方からの斜視図
【図１２】図９に示す着脱式ゴトクとバーナを一体に収納した状態を示す平面図
【発明を実施するための形態】
【００３２】
この発明に係る着脱式ゴトクの第一実施形態を図１から図４に示す。この着脱式ゴトク１は、第一開閉片２と、この第一開閉片２に対して板ばねを構成するように弾性的に開閉自在に連設された第二開閉片３を有している（図１等を参照）。この第一開閉片２及び第二開閉片３には、その上端に調理器具を載置する載置部４と、バーナＢを受け入れて固定する受け部５とが形成されている。バーナＢを受け入れるように着脱式ゴトク１を取り付けた際に、この受け部５がバーナＢの周面をしっかりと保持することによって、この着脱式ゴトク１がバーナＢに確実に固定される。
【００３３】
受け部５の端部には、取り付けたバーナＢの抜け止めのための抜け止め部６が形成されており、着脱式ゴトク１がバーナＢから不用意に外れるのを防止している。この着脱式ゴトク１に調理器具を載置すると、この調理器具の重みで、抜け止め部６がバーナＢの上端部に強く当接する。このため、バーナＢへの着脱式ゴトク１の固定状態が一層確実なものとなって、調理器具の支持安定性が高まる。
【００３４】
両開閉片２、３は、これらに外力が作用していない状態において、所定角度だけ相互に開いて、両者の間に隙間ができた状態となっている（図１（ａ）を参照）。両開閉片２、３の隙間が閉じていると、一方の手でバーナＢを保持しつつ他方の手で隙間を広げる必要があり作業が煩雑となるが、両開閉片２、３を所定角度だけ相互に開いて隙間をあらかじめ確保しておけば、バーナＢの取り付けをスムーズに行うことができ、その作業効率が向上する。
【００３５】
前記所定角度は、バーナＢに着脱式ゴトク１を取り付けて固定した際の両開閉片２、３の開き角度よりも小さい角度としている。このようにすれば、着脱式ゴトク１をバーナＢに取り付けた際に、弾性的に連設された両開閉片２、３が閉じようとする付勢力によって着脱式ゴトク１がしっかりと固定され、この着脱式ゴトク１に載置した調理器具の安定性、及び、調理の際の安全性が一段と向上する。
【００３６】
第二開閉片３の載置部４の下部には、係止片７が形成されている。バーナＢを使用しないときは、このバーナＢから着脱式ゴトク１を取り外し、弾性的に連設された両開閉片２、３の付勢力に抗して、両開閉片２、３が合わさるように図２中に示す矢印の方向に閉じ、係止片７を第一開閉片２の載置部４の下部に係止することによって、コンパクトに収納することができる。このため、アウトドアでの携帯性が向上する。しかも、この係止状態において、両開閉片２、３を開く方向の付勢力が作用して、係止片７による係止作用がさらに高まる。このため、着脱式ゴトク１の持ち運びの際に、両開閉片２、３が不用意に開くのを確実に防止することができる。
【００３７】
バーナＢを使用する際は、このバーナＢに着脱式ゴトク１を取り付けて固定する（図３及び図４を参照）。この取り付けに際しては、図４に示すように、バーナＢの水平方向横側から、着脱式ゴトク１の両開閉片２、３に形成した受け部５を当接させる。すると、この当接に伴う当接力によって、弾性的に連設された両開閉片２、３がその付勢力に抗して開く（同図中に実線で示した着脱式ゴトクを参照）。さらに、この着脱式ゴトク１がバーナＢに突き当たるまで完全に取り付けると、一旦開いた両開閉片２、３がその付勢力によって少し閉じて、この着脱式ゴトク１がバーナＢにしっかりと固定された状態となる（同図中に想像線で示した着脱式ゴトクを参照）。
【００３８】
この発明に係る着脱式ゴトク１の第二実施形態を図５、図６に示す。この着脱式ゴトク１は、その基本構成は第一実施形態に係る着脱式ゴトク１と同じであるが、係止片７が第二開閉片３の開閉端部に形成されている点で異なっている。バーナＢを使用しないときは、このバーナＢから着脱式ゴトク１を取り外し、弾性的に連設された両開閉片２、３の付勢力に抗して、両開閉片２、３が合わさるように図６中に示す矢印の方向に閉じ、係止片７を第一開閉片２の開閉端部に係止することによって、コンパクトに収納することができる。この係止片７は、両開閉片２、３を閉じた状態で維持できるのであれば、他の位置に形成することもできる。
【００３９】
本願発明の第三実施形態に係る着脱式ゴトク１をバーナＢに取り付けた状態を図７に示す。この着脱式ゴトク１も、その基本構成は第一実施形態に係る着脱式ゴトク１と同じであるが、脚部８を設けた点で異なっている。第一及び第二実施形態に係る着脱式ゴトク１においては、バーナＢに燃料を供給するボンベ（図示せず）を脚部８として使用するため、小さめのサイズのボンベを使用する場合、バーナＢの自立安定性が不十分となることがある。そこで、本実施形態のように着脱式ゴトク１自体に脚部８を設けることによって、ボンベのサイズにかかわらずバーナＢを安定して自立させることができる。このため、調理の際の安全性の更なる向上が期待できる。
【００４０】
本願発明の第一実施形態に係る着脱式ゴトク１を他の形状のバーナＢに取り付けた状態を図８に示す。この着脱式ゴトク１は、バーナＢの本体ではなく、このバーナＢに設けた風防Ｇに取り付けられている。この風防Ｇは、バーナＢの本体ほど温度が上昇しないため、この風防Ｇに取り付けた着脱式ゴトク１の温度上昇が小さい。このため、バーナＢの使用に伴う加熱及び冷却に起因して、この着脱式ゴトク１に変形等の劣化が生じるのを極力防止することができる。
【００４１】
上記各実施形態においては、平面視円形のバーナＢに対して、載置部４を約１２０度間隔で設けた着脱式ゴトク１について説明したが、載置部４を９０度間隔で設けたゴトクを二つ組み合わせるようにバーナＢに取り付け、この二つの着脱式ゴトク１、１によって、載置部が９０度間隔で構成されるようにすることもできる。また、平面視楕円形のバーナＢに対して、３つの載置部４を隣り合う載置部４との間で、例えば「１５０度間隔−６０度間隔−１５０度間隔」のように不均等に配置した着脱式ゴトク１を構成することもできる。
【００４２】
この発明に係る着脱式ゴトク１の第四実施形態を図９から図１２に示す。この着脱式ゴトク１には、第一開閉片２と第二開閉片３の長さ方向中央部に、この両開閉片２、３を相対回動させる垂直回動軸９が設けられている。そして、この両開閉片２、３を閉じる方向に付勢する付勢部材１０として、両開閉片２、３に介在するように、ねじりコイルばね１０が設けられている。ここでいう「長さ方向中央部」とは、厳密な中央でなくても、その近傍であれば許容される。一般的に、長さ方向中央部にはバーナＢの吸気管が配置されており、垂直回動軸９はこの吸気管を避けるようにして設けなければならないためである。
【００４３】
各開閉片２、３の上部両端には、載置部４が形成されている。この載置部４は、各開閉片２、３に設けられた水平な回動軸１１周りに回動して、この各開閉片２、３の中央向きに収納し得るように構成されている。各開閉片２、３をこのねじりコイルばね１０の付勢力に抗して開くとともに、載置部４を開くと、両開閉片２、３が直角に交差する十字形のゴトクとなる（図９（ｃ）を参照）。このとき、図１０に示すように、受け部５がバーナＢの周面をしっかりと保持することによって、この着脱式ゴトク１がバーナＢに確実に固定される。受け部５の端部には、取り付けたバーナＢの抜け止めのための抜け止め部６が形成されており、着脱式ゴトク１がバーナＢから不用意に外れるのを防止している。
【００４４】
バーナＢを使用しないときは、このバーナＢから着脱式ゴトク１を取り外し、図１１に示すようにねじりコイルばね１０の付勢力によって両開閉片２、３がＸ字形となるように回動させるとともに、この各開閉片２、３の両端の載置部４を回動軸１１周りに回動してコンパクトな状態に折り畳むように閉じて収納することができる。
【００４５】
この収納に際し、図１２に示すように、閉じた両開閉片２、３によって構成される隙間の中に、バーナＢを横向きにして収納することもできる。このように着脱式ゴトク１とバーナＢを一体に収納することで、バーナＢの使用の際に速やかに着脱式ゴトク１を取り付けることができ、アウトドア等で使用する際の利便性が高い。この際、同図に示すように、載置部４を両開閉片２、３の中央向きに回動することにより、バーナＢが前記隙間から脱落するのを防止することができる。
【００４６】
上記各実施形態に示すように、ゴトクをバーナＢに対して着脱自在としたことにより、調理器具の大きさに合うサイズあるいは形状の着脱式ゴトク１に適宜交換することができる。このため、バーナＢとゴトクが着脱不能に一体に構成された製品と比較して、汎用性が高まるというメリットがある。
【００４７】
また、ゴトクは火炎に晒されていることが多いため、使用時間の経過とともに変形等の劣化を生じやすいが、本願発明のようにゴトクを着脱自在としたことにより、劣化が進みやすいゴトク部分のみ新品に適宜交換することができる。このため、バーナＢとゴトクが着脱不能に一体に構成された製品と比較して、トータルでの製品寿命を引き延ばすことができるというメリットもある。
【００４８】
また、さらなるコンパクト化を図るために、上記各実施形態において載置部４の先端側を折り畳み可能に、上記第三実施形態においては、それに加えて脚部８の先端も折り畳み可能にすることもできる。このようにすれば、アウトドアにおける携帯性が一層向上する。
【００４９】
また、載置した調理器具の安定性が確保されるとともに、コンパクトに収納し得るのであれば、連設する開閉片の数をさらに増やすこともでき、例えば、３つの開閉片をＺ字形に連設した構成、４つの開閉片をＭ字形に連設した構成を採用することもできる。
【００５０】
上記の各実施形態はあくまでも例示であって、この発明の課題を解決し得る限りにおいて、これらに限定されることなく適宜変更し得ることは言うまでもない。
【符号の説明】
【００５１】
１  着脱式ゴトク
２  第一開閉片
３  第二開閉片
４  載置部
５  受け部
６  抜け止め部
７  係止片
８  脚部
９  垂直回動軸
１０  付勢部材（ねじりコイルばね）
１１  回動軸
Ｂ  バーナ
Ｇ  風防
【図１】
2014040992.tif 000003
【図２】
2014040992.tif 000004
【図３】
2014040992.tif 000005
【図４】
2014040992.tif 000006
【図５】
2014040992.tif 000007
【図６】
2014040992.tif 000008
【図７】
2014040992.tif 000009
【図８】
2014040992.tif 000010
【図９】
2014040992.tif 000011
【図１０】
2014040992.tif 000012
【図１１】
2014040992.tif 000013
【図１２】
2014040992.tif 000014